(57)【要約】【課題】  内容積を減少させることなく展示効果が向上する収容容器を提供する。【解決手段】  収容容器１１は、ＰＥＴからなる合成樹脂シートを真空成形して形成され、ほぼ逆円錐台形状を有する本体１６と、本体１６の上面１７を覆う脱着自在の蓋体３１とから構成される。本体１６は、中央が開放された上面１７と、上面１７に接続され、底面１８側の部分が外方に向かって張り出されて底面１８側の端部が直線部分２８を有する突出部２７を備えた側面と、底面１８とからなる。これにより、内容積を減少させることなく上面１７を傾斜させた状態で水平面に設置できると共に、側面に沿って回転しにくくなるため、展示効果が向上する。又、蓋体３１は、その上面３２において本体１６の底面１８と同一形状の底面形状を有する他の収容容器が嵌合する凹み部３３が形成されている。これにより、積み重ねた収容容器の陳列効果が向上する。【選択図】  図２
2015131657.tif 000002
【特許請求の範囲】
【請求項１】
収容容器であって、
上面が開放され、側面と底面とがほぼ逆円錐台形状又は逆楕円錐台形状を有する本体を含み、
前記側面の一部の内少なくとも前記底面側の部分が外方に向かって張り出され、前記底面側の端部が直線部分を有する突出部を備え、
前記直線部分と、対応する前記側面の上方部分とを水平面に接した姿勢に保持することができる、収容容器。
【請求項２】
収容容器であって、
上面が開放され、側面と底面とがほぼ逆円錐台形状又は逆楕円錐台形状を有する本体を含み、
前記側面の一部の内少なくとも前記底面側の部分が２か所外方に向かって張り出された一対の突出部を備え、
前記突出部の各々と、対応する前記側面の上方部分とを水平面に接した姿勢に保持することができる、収容容器。
【請求項３】
前記収容容器は、合成樹脂シートを押圧して成形され、
前記突出部は、前記側面の上方部分から形成される、請求項１又は請求項２記載の収容容器。
【請求項４】
前記収容容器は、前記本体の上面を覆う脱着自在の蓋体を更に備え、
前記蓋体の上面には、前記本体の底面と同一形状の底面形状を有する他の収容容器が嵌合する凹み部が形成される、請求項１から請求項３のいずれかに記載の収容容器。
【請求項５】
前記蓋体は、前記本体に対して内嵌合で取り付けられる、請求項４記載の収容容器。
【請求項６】
収容容器であって、
上面が開放され、前記上面と底面とが長円形状を有し、側面と前記底面とがほぼ逆長円錐台形状を有する本体と、
前記本体の上面を覆う脱着自在の蓋体とを含み、
前記蓋体は、前記本体に対して内嵌合で取り付けられ、
前記長円形状の内直線部分の一方に対応する、前記側面部分の前記底面側の端部と前記上面側の部分とを水平面に接した姿勢に保持することができる、収容容器。
【発明の詳細な説明】
【技術分野】
【０００１】
この発明は収容容器に関し、特に使い捨ての食品用ケースを収容して使用される収容容器に関するものである。
【背景技術】
【０００２】
図２５は、特許文献１で開示された従来の食品用容器を水平面に載置した状態を示す図であって、（１）は正面図、（２）は側面図である。
【０００３】
図を参照して、食品用容器７１は、透明な合成樹脂からなり、その内部にゼリー食品等を収容する容器本体７６と、容器本体７６の上面となる円周フランジ７７にシールされたシール材料８５とからなる。
【０００４】
図２５の（１）を参照して、容器本体７６の外形は、ほぼ逆円錐台形状を有している。容器本体７６は、その一部が外方側に突出するように形成された耳部分７８を含み、中央が開放された円周フランジ７７と、平坦な底面７９と、底面７９にその下方で接続され、円周フランジ７７にその上方で接続され、耳部分７８に対応する下方位置から底面にかけて斜めにカットされた平坦な斜めカット面８１を含む側壁８０とからなる。
【０００５】
使用に際して、図２５の（２）を参照して、食品用容器７１を水平面１に載置するときは、食品用容器７１の底面７９を水平面１に当接させる。
【０００６】
次に、食品用容器７１の水平面１に対する別の載置状態について説明する。
【０００７】
図２６は、図２５で示した食品用容器を水平面に対して斜めに載置した状態を示す図であって、（１）は正面図、（２）は側面図である。
図を参照して、食品用容器７１は、容器本体７６の側壁８０に形成された斜めカット面８１を水平面１に当接させるようにして、水平面１に載置されている。このように載置することにより、食品用容器７１が水平面１を有する陳列棚等（図示せず）に載置されたときに、図２６の（１）で示したように食品用容器７１のシール材料８５に施された意匠デザイン８６が、消費者にとって見やすくなる。
【先行技術文献】
【特許文献】
【０００８】
【特許文献１】特開平１１−１０００３８号公報
【発明の概要】
【発明が解決しようとする課題】
【０００９】
上記のような従来の食品用容器７１では、容器本体７６に斜めカット面８１が形成されていたので、内部に収容する収容量が減ると共に、収容物の形状に制限を与えることになっていた。又、食品用容器７１の底面７９を水平面１に当接させた載置状態において、他の食品用容器７１をその上面に更に重ねて載置するときには、斜めカット面８１があるため、載置状態が不安定になってしまっていた。更に、この場合、各々の食品用容器７１を定まった方向に載置するには手間がかかるため、一般的には定まった方向には載置されず、食品用容器７１のシール材料８５に施された意匠デザイン８６が、陳列棚等においてバラバラな方向を向くことになり、消費者にとっては見にくいものとなっていた。
【００１０】
この発明は、上記のような課題を解決するためになされたもので、内容積を減少させることなく展示効果が向上する収容容器を提供することを目的とする。
【課題を解決するための手段】
【００１１】
上記の目的を達成するために、請求項１記載の発明は、収容容器であって、上面が開放され、側面と底面とがほぼ逆円錐台形状又は逆楕円錐台形状を有する本体を含み、側面の一部の内少なくとも底面側の部分が外方に向かって張り出され、底面側の端部が直線部分を有する突出部を備え、直線部分と、対応する側面の上方部分とを水平面に接した姿勢に保持することができるものである。
【００１２】
このように構成すると、内容積を減少させずに上面を傾斜させた状態に設置できると共に、側面に沿って回転しにくくなる。
【００１３】
請求項２記載の発明は、収容容器であって、上面が開放され、側面と底面とがほぼ逆円錐台形状又は逆楕円錐台形状を有する本体を含み、側面の一部の内少なくとも底面側の部分が２か所外方に向かって張り出された一対の突出部を備え、突出部の各々と、対応する側面の上方部分とを水平面に接した姿勢に保持することができるものである。
【００１４】
このように構成すると、内容積を減少させずに上面を傾斜させた状態に設置できると共に、側面に沿って回転しにくくなる。
【００１５】
請求項３記載の発明は、請求項１又は請求項２記載の発明の構成において、収容容器は、合成樹脂シートを押圧して成形され、突出部は、側面の上方部分から形成されるものである。
【００１６】
このように構成すると、突出部の厚さの減少が抑制される。
【００１７】
請求項４記載の発明は、請求項１から請求項３のいずれかに記載の発明の構成において、収容容器は、本体の上面を覆う脱着自在の蓋体を更に備え、蓋体の上面には、本体の底面と同一形状の底面形状を有する他の収容容器が嵌合する凹み部が形成されるものである。
【００１８】
このように構成すると、積み重ねた収容容器が、水平面内において不用意に回転しない。
【００１９】
請求項５記載の発明は、請求項４記載の発明の構成において、蓋体は、本体に対して内嵌合で取り付けられるものである。
【００２０】
このように構成すると、本体又は蓋体の外方位置の拡がりが、外嵌合のものに比べて抑制される。
【００２１】
請求項６記載の発明は、収容容器であって、上面が開放され、上面と底面とが長円形状を有し、側面と底面とがほぼ逆長円錐台形状を有する本体と、本体の上面を覆う脱着自在の蓋体とを含み、蓋体は、本体に対して内嵌合で取り付けられ、長円形状の内直線部分の一方に対応する、側面部分の底面側の端部と上面側の部分とを水平面に接した姿勢に保持することができるものである。
【００２２】
このように構成すると、上面を傾斜させた状態に設置できると共に、側面に沿って回転しにくくなる。
【発明の効果】
【００２３】
以上説明したように、請求項１記載の発明は、内容積を減少させずに上面を傾斜させた状態に設置できると共に、側面に沿って回転しにくくなるため、展示効果が向上する。
【００２４】
請求項２記載の発明は、内容積を減少させずに上面を傾斜させた状態に設置できると共に、側面に沿って回転しにくくなるため、展示効果が向上する。
【００２５】
請求項３記載の発明は、請求項１又は請求項２記載の発明の効果に加えて、突出部の厚さの減少が抑制されるため、品質が向上する。
【００２６】
請求項４記載の発明は、請求項１から請求項３のいずれかに記載の発明の効果に加えて、積み重ねた収容容器が、水平面内において不用意に回転しないため、陳列効果が向上する。
【００２７】
請求項５記載の発明は、請求項４記載の発明の効果に加えて、本体又は蓋体の外方位置の拡がりが、外嵌合のものに比べて抑制されるため、突出部の突出程度を小さくできるので品質が向上する。
【００２８】
請求項６記載の発明は、上面を傾斜させた状態に設置できると共に、側面に沿って回転しにくくなるため、展示効果が向上する。
【図面の簡単な説明】
【００２９】
【図１】この発明の第１の実施の形態による収容容器の概略正面図である。
【図２】図１で示した収容容器の概略平面図である。
【図３】図１で示した収容容器の概略底面図である。
【図４】図１で示した収容容器の概略右側面図である。
【図５】図２で示したＶ−Ｖラインから見た概略断面図である。
【図６】図２で示したＶＩ−ＶＩラインから見た概略断面図である。
【図７】図１で示した収容容器の本体の概略正面図である。
【図８】図７で示した本体の概略平面図である。
【図９】図１で示した収容容器の蓋体の概略正面図である。
【図１０】図９で示した蓋体の概略平面図である。
【図１１】図９で示した蓋体の概略右側面図である。
【図１２】図１で示した収容容器の使用状態を示す概略断面図である。
【図１３】図１２で示したＸＩＩＩ−ＸＩＩＩラインから見た概略断面模式図である。
【図１４】この発明の第２の実施の形態による収容容器の概略断面模式図であって、図１３に対応した図である。
【図１５】この発明の第３の実施の形態による収容容器の概略正面図であって、図１に対応した図である。
【図１６】図１５で示した収容容器の概略平面図であって、図２に対応した図である。
【図１７】図１５で示した収容容器の概略底面図であって、図３に対応した図である。
【図１８】図１５で示した収容容器の概略右側面図であって、図４に対応した図である。
【図１９】図１６で示したＸＩＸ−ＸＩＸラインから見た概略断面図であって、図５に対応した図である。
【図２０】図１６で示したＸＸ−ＸＸラインから見た概略断面図であって、図６に対応した図である。
【図２１】図１５で示した収容容器の本体の概略平面図であって、図８に対応した図である。
【図２２】図１５で示した収容容器の蓋体の概略平面図であって、図１０に対応した図である。
【図２３】図１５で示した収容容器の使用状態を示す概略断面図であって、図１２に対応した図である。
【図２４】外嵌合するように形成された収容容器を水平面に対して斜めに載置した使用状態を示す概略断面図であって、図２３の（３）に対応した図である。
【図２５】特許文献１で開示された従来の食品用容器を水平面に載置した状態を示す図であって、（１）は正面図、（２）は側面図である。
【図２６】図２５で示した食品用容器を水平面に対して斜めに載置した状態を示す図であって、（１）は正面図、（２）は側面図である。
【発明を実施するための形態】
【００３０】
図１は、この発明の第１の実施の形態による収容容器の概略正面図であり、図２は、図１で示した収容容器の概略平面図であり、図３は、図１で示した収容容器の概略底面図であり、図４は、図１で示した収容容器の概略右側面図であり、図５は、図２で示したＶ−Ｖラインから見た概略断面図であり、図６は、図２で示したＶＩ−ＶＩラインから見た概略断面図である。
【００３１】
これらの図を参照して、収容容器１１は、特に使い捨ての食品用ケースを収容して使用されるもので、透明なポリエチレンテレフタレート（ＰＥＴ）からなる合成樹脂シートを真空成形することにより形成され、ほぼ逆円錐台形状を有する本体１６と、ポリエチレンテレフタレート（ＰＥＴ）からなる合成樹脂シートを真空成形することにより形成され、本体１６の上面１７を覆う脱着自在の蓋体３１とから構成される。
【００３２】
まず、収容容器１１の本体１６について説明する。
【００３３】
図７は、図１で示した収容容器の本体の概略正面図であり、図８は、図７で示した本体の概略平面図である。
【００３４】
これらの図、及び、図１〜図６を参照して、収容容器１１の本体１６は、開口５を有する凸部４、凸部６ａ及び６ｂを含み、中央が開放された上面１７と、上面１７に接続され、リブ２１ａ〜２１ｊが形成され、底面１８側の部分が外方に向かって張り出されて底面１８側の端部が直線部分２８を有する突出部２７を備えた側面２０と、側面２０の下方に接続された底面１８とからなる。尚、リブ２１ａ〜２１ｊは、収容容器１１の本体１６における側面２０の強度を向上させるために形成されている。
【００３５】
図５を参照して、本体１６の突出部２７は、側面２０の上方部分２２から形成される。このように構成することにより、突出部２７が側面２０における上方部分２２よりも下方の位置から形成された場合に比べて、収容容器１１の本体１６を真空成形で形成する際に、突出部２７の厚さの減少が抑制されることになる。よって、収容容器１１の本体１６は、突出部２７の厚さが極端に薄くならないので、品質が向上することになる。
【００３６】
又、本体１６の突出部２７は、他の側面２６の底面における外方側の端部３９に比べて、底面１８側の部分が外方に向かって、長さＬの分だけ張り出されている。よって、突出部２７の底面１８側の端部である直線部分２８から上方部分２２の対応する外方側の部分２３までの水平長さＬ１は、他の側面２６の底面１８側の端部３９から上方部分２２の対応する外方側の部分４０までの水平長さＬ２よりも長さＬだけ小さくなっている。このように構成した理由については、後述する。
【００３７】
次に、収容容器１１の蓋体３１について説明する。
【００３８】
図９は、図１で示した収容容器の蓋体の概略正面図であり、図１０は、図９で示した蓋体の概略平面図であり、図１１は、図９で示した蓋体の概略右側面図である。
【００３９】
これらの図、及び、図１〜図６を参照して、収容容器１１の蓋体３１は、その上面３２において本体１６の底面１８と同一形状の底面形状を有する他の収容容器が嵌合する凹み部３３と、外方に向いた凸部３５とが形成されている。このように構成した理由については、後述する。
【００４０】
ここで、収容容器１１の本体１６と蓋体３１との嵌合状態について説明する。
【００４１】
図５及び図６を参照して、収容容器１１は、二点鎖線で示した蓋体３１を実線の矢印で示した方向に押圧して本体１６に嵌合させている。その際、蓋体３１は、本体１６に対して内嵌合で取り付けられるように、蓋体３１及び本体１６の上方部分２２は形成されている。このように構成することにより、本体１６、又は、蓋体３１の外方位置の拡がりが、外嵌合となるように形成されたものに比べて抑制されるため、本体１６の突出部２７の突出程度となる長さＬを小さくできる。この利点については後述する。
【００４２】
次に、収容容器１１を陳列する際の主な３通りの使用状態について説明する。
【００４３】
図１２は、図１で示した収容容器の使用状態を示す概略断面図であり、図１３は、図１２で示したＸＩＩＩ−ＸＩＩＩラインから見た概略断面模式図である。
【００４４】
図１２の（１）を参照して、収容容器１１の本体１６の凸部４に形成された開口５を通して、壁面２に取り付けられたフック３に差し込み、収容容器１１をフック３に吊り下げて展示する。このように展示することにより、消費者にとって、収容容器１１の蓋体３１の上面３２を通して、収容容器１１の内部に収容された収容物を見やすくなる。
【００４５】
図１２の（２）を参照して、収容容器１１ａの本体１６ａの底面１８ａを、水平面１に当接させるようにして、収容容器１１ａを水平面１に載置する。次に、収容容器１１ａの蓋体３１ａの上に、収容容器１１ａと同一形状の収容容器１１ｂを積み重ねて載置する。その際、図２を参照して、収容容器１１ａの蓋体３１ａの凹み部３３ａは、収容容器１１ｂの本体１６ｂの底面１８ｂと同一形状を有し、収容容器１１ａと収容容器１１ｂとが嵌合するように形成されている。又、収容容器１１ｂの本体１６ｂを収容容器１１ａの蓋体３１ａに嵌合させた状態において、収容容器１１ｂ及び収容容器１１ａは水平面１に対して垂直となる回転軸のまわりで各々別々に回転できないように、収容容器１１ｂの本体１６ｂの底面１８ｂ及び収容容器１１ａの蓋体３１ａの凹み部３３ａが形成されている。そのため、積み重ねた収容容器１１ａ及び収容容器１１ｂは、水平面内において不用意に回転しないので、陳列効果が向上することになる。更に、収容容器１１ｂの本体１６ｂを水平面１に対して垂直となる回転軸のまわりで３６０度回転させながら収容容器１１ａの蓋体３１ａに上方から積み重ねたとき、唯一の角度で収容容器１１ａの蓋体３１ａと一対一に嵌合するように、収容容器１１ｂの本体１６ｂの底面１８ｂ及び収容容器１１ａの蓋体３１ａの凹み部３３ａが形成されている。そのため、収容容器１１ａ及び収容容器１１ｂは、各々を嵌合させて積み重ねた際に、揃って一定の方向を向くことになり、美観上も好ましい。更に、収容容器１１ａ及び収容容器１１ｂを一定の方向を向くように積み重ねて載置する際に、手間がかからない。
【００４６】
更に、図２５で示した食品用容器７１と比べると、収容容器１１は、図５で示したように突出部２７は外方側に張り出しているので、その内部に収容する収容物の収容量が減らないと共に、収容物の形状に制限を与えることが少ない。更に、収容容器１１は、突出部２７によって底面１８の面積を減らすことはないので、水平面１に載置するときに載置状態が不安定になりにくい。尚、図１２の（２）においては、２個の収容容器を積み重ねたものであったが、３個以上の収容容器を積み重ねても同様の効果を奏する。
【００４７】
図１２の（３）、及び、図１３を参照して、収容容器１１の本体１６の突出部２７を下方に向け、突出部２７の直線部分２８と、対応する上方部分２２（側面２０の一部）の部分２３とを水平面１に接するようにして、収容容器１１を水平面１に対して斜めに載置する。ここで、収容容器１１は、水平面１に対して斜めに載置した姿勢を保持することができるように形成されている。このように構成することによって、収容容器１１の本体１６の上面１７を傾斜させた状態に設置できる。更に、収容容器１１は、水平面１に対して、突出部２７の直線部分２８において直線で接しており、対応する上方部分２２（側面２０の一部）の部分２３においても直線で接している。そのため、収容容器１１は、側面２０に沿って回転しにくくなる。このように展示することにより、消費者にとって、収容容器１１の蓋体３１の上面３２を通して、収容容器１１の内部に収容された収容物を見やすくなり、展示効果が向上する。
【００４８】
図１４は、この発明の第２の実施の形態による収容容器の概略断面模式図であって、図１３に対応した図である。
【００４９】
尚、この第２の実施の形態による収容容器１２は、図１で示した第１の実施の形態による収容容器１１と基本的な構成は同一である。ここでは、その相違点を中心に説明する。
【００５０】
図を参照して、収容容器１２は、図１で示した収容容器１１における突出部２７を、底面視ほぼ半円形状を有し、側面２０の内で底面側の部分で外方に向かって張り出された一対の突出部３０ａ及び突出部３０ｂに置き換えたものである。収容容器１２は、突出部３０ａ及び突出部３０ｂの各々と、図１２の（３）で示した対応する側面２０の上方部分２２の部分２３とが水平面１に接しており、その姿勢を保持している状態にある。このように構成された収容容器１２は、水平面１に傾斜させた状態に設置できる。更に、収容容器１２は、水平面１に対して、突出部３０ａ及び突出部３０ｂにおける２点で接しており、対応する上方部分２２（側面２０の一部）の部分２３（図示せず）においても２点で接している。そのため、収容容器１２は、側面２０に沿って回転しにくくなり、展示効果が向上するものである。すなわち、収容容器１２は、収容容器１１と同様の効果を奏する。
【００５１】
図１５は、この発明の第３の実施の形態による収容容器の概略正面図であって、図１に対応した図であり、図１６は、図１５で示した収容容器の概略平面図であって、図２に対応した図であり、図１７は、図１５で示した収容容器の概略底面図であって、図３に対応した図であり、図１８は、図１５で示した収容容器の概略右側面図であって、図４に対応した図であり、図１９は、図１６で示したＸＩＸ−ＸＩＸラインから見た概略断面図であって、図５に対応した図であり、図２０は、図１６で示したＸＸ−ＸＸラインから見た概略断面図であって、図６に対応した図である。
【００５２】
尚、この第３の実施の形態による収容容器１３は、図１で示した第１の実施の形態による収容容器１１の構成を基にして形成されたものである。ここでは、その相違点を中心に説明する。
【００５３】
これらの図を参照して、収容容器１３は、透明なポリエチレンテレフタレート（ＰＥＴ）からなる合成樹脂シートを真空成形することにより形成され、ほぼ逆長円錐台形状を有する本体４６と、本体４６の上面４７を覆う脱着自在の蓋体６１とから構成される。
【００５４】
まず、収容容器１３の本体４６について説明する。
【００５５】
図２１は、図１５で示した収容容器の本体の概略平面図であって、図８に対応した図である。
【００５６】
図２１、及び、図１５〜図２０を参照して、収容容器１３の本体４６は、開口５８を有する凸部５７を含み、中央が開放された長円形状を有する上面４７と、上面４７に接続され、リブ５１ａ〜５１ｐが形成された側面５０と、側面５０の下方に接続された長円形状を有する底面４８とからなる。
【００５７】
次に、収容容器１３の蓋体６１について説明する。
【００５８】
図２２は、図１５で示した収容容器の蓋体の概略平面図であって、図１０に対応した図である。
【００５９】
図２２、及び、図１５〜図２０を参照して、収容容器１３の蓋体６１は、その上面６２において本体４６の底面４８と同一の長円形状の底面形状を有する他の収容容器が嵌合する凹み部６５が形成されている。このように構成することにより、図１で示した収容容器１１と同様の効果を奏する。
【００６０】
ここで、収容容器１３の本体４６と蓋体６１との嵌合状態について説明する。
【００６１】
図１９及び図２０を参照して、収容容器１３は、二点鎖線で示した蓋体６１を実線の矢印で示した方向に押圧して本体４６に嵌合させている。その際、蓋体６１は、本体４６に対して内嵌合で取り付けられるように、蓋体６１及び本体４６は形成されている。このように構成した理由については後述する。
【００６２】
次に、収容容器１３を陳列する際の主な３通りの使用状態について説明する。
【００６３】
図２３は、図１５で示した収容容器の使用状態を示す概略断面図であって、図１２に対応した図である。
【００６４】
図２３の（１）を参照して、収容容器１３の本体４６の凸部５７に形成された開口５８を通して、壁面２に取り付けられたフック３に差し込み、収容容器１３をフック３に吊り下げて展示する。このように展示することにより、図１で示した収容容器１１と同様の効果を奏する。
【００６５】
図２３の（２）を参照して、収容容器１３ａの本体４６ａの底面４８ａを、水平面１に当接させるようにして、収容容器１３ａを水平面１に載置する。次に、収容容器１３ａの蓋体６１ａの上に、収容容器１３ａと同一形状の収容容器１３ｂを積み重ねて載置する。その際、収容容器１３ａの蓋体６１ａの凹み部６３ａは、収容容器１３ｂの本体４６ｂの底面４８ｂと同一の長円形状を有し、収容容器１３ａと収容容器１３ｂとが嵌合するように形成されている。又、収容容器１３ｂの本体４６ｂを収容容器１３ａの蓋体６１ａに嵌合させた状態において、収容容器１３ｂ及び収容容器１３ａは水平面１に対して垂直となる回転軸のまわりで各々別々に回転できないように、収容容器１３ｂの本体４６ｂの底面４８ｂ及び収容容器１３ａの蓋体６１ａの凹み部６３ａが形成されている。そのため、積み重ねた収容容器１３ａ及び収容容器１３ｂは、水平面内において不用意に回転しないので、陳列効果が向上することになる。
【００６６】
図２３の（３）を参照して、収容容器１３の本体４６の凸部５７と対向する側面５０を下方に向け、長円形状を有する底面４８の内で図１７で示した直線部分４９に対応する、側面５０部分の底面４８側の端部５９と上面４７側の部分６０とを水平面１に接するようにして、収容容器１３を水平面１に対して斜めに載置する。ここで、収容容器１３は、水平面１に対して斜めに載置した姿勢を保持することができるように形成されている。このように構成することによって、収容容器１３の本体４６の上面１７を傾斜させた状態に設置できる。更に、収容容器１３は、水平面１に対して、側面５０部分の底面４８側の端部５９において直線で接しており、上面４７側の部分６０においても直線で接している。そのため、収容容器１３は、側面５０に沿って回転しにくくなり、展示効果が向上する。
【００６７】
図２４は、外嵌合するように形成された収容容器を水平面に対して斜めに載置した使用状態を示す概略断面図であって、図２３の（３）に対応した図である。
【００６８】
尚、この外嵌合の収容容器６７は、図１５で示した第３の実施の形態による収容容器１３と基本的な構成は同一である。ここでは、その相違点を中心に説明する。
【００６９】
図を参照して、収容容器６７は、図１５で示した収容容器１３において内嵌合する本体４６及び蓋体６１を、外嵌合する本体６８及び蓋体６９に置き換えたものである。この収容容器６７は、外嵌合で形成されているため、本体６８及び蓋体６９の外方位置の拡がりが内嵌合のものに比べて広い。そのため、収容容器６７は、水平面１に対して斜めに載置されたときに、実線の矢印で示した方向へ収容容器６７は傾くことになる。よって、図１５で示した内嵌合の収容容器１３は、図２３の（３）で示した状態を保持するので、外嵌合の収容容器６７に比べて、品質が向上している。
【００７０】
尚、上記の各実施の形態では、収容容器は、ポリエチレンテレフタレート（ＰＥＴ）からなる合成樹脂シートを真空成形することによって形成されたものであったが、ＰＥＴ以外の合成樹脂シートを用いても良く、又、真空成形以外に押圧して成形する方法によって形成されたものであっても良い。
【００７１】
又、上記の第１及び第２の実施の形態の各々では、収容容器の本体は、ほぼ逆円錐台形状を有していたが、逆楕円錐台形状を有するものであっても良い。
【００７２】
更に、上記の各実施の形態では、収容容器の本体は、特定数のリブが形成されていたが、他の個数であっても良い。又は、リブは無くても良い。
【００７３】
更に、上記の各実施の形態では、収容容器の本体は、リブが外方を向くように形成されていたが、内方を向くように形成されていても良い。又は、他の形状で形成されていても良い。
【００７４】
更に、上記の各実施の形態では、収容容器の本体の突出部は、品質及び成形時における金型を外しやすくする観点から側面の上方部分から形成されていたが、上方部分以外から形成されるものであっても良い。
【００７５】
更に、上記の各実施の形態では、収容容器の本体の突出部は、側面の１か所から形成されたものであったが、側面の一部の内２か所以上で形成されていても良い。
【００７６】
更に、上記の各実施の形態では、収容容器は、蓋体を有するものであったが、蓋体は無くても良いし、収容容器と蓋体とがヒンジで連結されていても良い。
【００７７】
更に、上記の各実施の形態では、収容容器の蓋体は、本体に対して内嵌合で取り付けられるものであったが、外嵌合で取り付けられるものであっても良い。又は、その他の方法で本体に脱着自在に取り付けられるものであっても良い。
【００７８】
更に、上記の第２の実施の形態では、突出部は、側面の内２か所形成されたものであったが、３か所以上形成されたものであっても良い。
【００７９】
更に、上記の各実施の形態では、収容容器の本体は、凸部を有するものであったが、凸部は無くても良い。
【００８０】
更に、上記の各実施の形態では、収容容器の蓋体及び本体は、これらを外しやすくするために各々凸部を有するものであったが、凸部は無くても良い。
【００８１】
更に、上記の各実施の形態では、収容容器の蓋体は、本体の底面形状と同一形状を有する凹み部を有するものであったが、それ以外の形状であっても良い。又は、凹み部は無くても良い。
【００８２】
更に、上記の各実施の形態では、収容容器は、透明な材質で形成されていたが、透明ではない材質から形成されていても良い。
【００８３】
更に、上記の各実施の形態では、収容容器は、使い捨ての食品用ケースを収容して使用されるものであったが、それ以外のものを収容して使用されても良い。
【符号の説明】
【００８４】
１…水平面
１１〜１３…収容容器
１６…本体
１７…上面
１８…底面
２０…側面
２２…上方部分
２７…突出部
２８…直線部分
３０…突出部
３１…蓋体
３２…上面
３３…凹み部
４６…本体
４７…上面
４８…底面
４９…直線部分
５０…側面
５９…端部
６０…部分
６１…蓋体
尚、各図中同一符号は同一又は相当部分を示す。
【図１】
2015131657.tif 000003
【図２】
2015131657.tif 000004
【図３】
2015131657.tif 000005
【図４】
2015131657.tif 000006
【図５】
2015131657.tif 000007
【図６】
2015131657.tif 000008
【図７】
2015131657.tif 000009
【図８】
2015131657.tif 000010
【図９】
2015131657.tif 000011
【図１０】
2015131657.tif 000012
【図１１】
2015131657.tif 000013
【図１２】
2015131657.tif 000014
【図１３】
2015131657.tif 000015
【図１４】
2015131657.tif 000016
【図１５】
2015131657.tif 000017
【図１６】
2015131657.tif 000018
【図１７】
2015131657.tif 000019
【図１８】
2015131657.tif 000020
【図１９】
2015131657.tif 000021
【図２０】
2015131657.tif 000022
【図２１】
2015131657.tif 000023
【図２２】
2015131657.tif 000024
【図２３】
2015131657.tif 000025
【図２４】
2015131657.tif 000026
【図２５】
2015131657.tif 000027
【図２６】
2015131657.tif 000028